(57)【要約】      （修正有）【課題】住宅の壁に孔を空けることなく、屋外と屋内をパッシブな光配線で結ぶことが可能となる光配線方法を提供することにある。【解決手段】光ドロップケーブル２６の所定の位置から光ファイバ心線を取り出しテンションメンバと一緒に保護部材であるカバー基部及びカバー上部により平坦形状に被覆して光配線部品である平坦形状の光コード２７を形成し、この光コードを、窓の戸２３と窓枠２２の間の空隙に通して光配線することで屋外と屋内を光配線する。【選択図】図２
2007147754.tif 000002
【特許請求の範囲】
【請求項１】
光ファイバ心線を収容した平坦形状の光コードを、窓の戸と窓枠の間の空隙に通して光配線することを特徴とする光配線方法。
【請求項２】
平坦形状の光コードとして、光ケーブルの所定の位置から取り出した光ファイバ心線を平坦形状保護部材で被覆した平坦形状の光コードを用いることを特徴とする請求項１に記載の光配線方法。
【請求項３】
平坦形状の光コードを、窓枠の形状に合わせて窓枠に貼り付けることを特徴とする請求項１又は２に記載の光配線方法。
【請求項４】
光ファイバ心線及びテンションメンバを保護部材で平坦形状に被覆して平坦形状の光コードとしたことを特徴とする光配線部品。
【請求項５】
光ファイバ心線が折り曲げられた形状であることを特徴とする請求項４に記載の光配線部品。
【請求項６】
光ファイバ心線として、ホールアシストファイバを用いることを特徴とする請求項４又は５に記載の光配線部品。
【請求項７】
導波部の近傍に空隙層が設けられたプラスチックスよりなる導波路を、保護部材で平坦形状に被覆して平坦形状の光コードとしたことを特徴とする光配線部品。
【発明の詳細な説明】
【技術分野】
【０００１】
本発明は、光ファイバ心線を収容した平坦形状の光コードを、窓の戸と窓枠の間の空隙に通して光配線する光配線方法及び光配線部品に関する。
【背景技術】
【０００２】
近年、情報通信の高度化、高速化に伴い、ビル外又は住宅外から屋内へ配線される情報通信のためのケーブルの配線施工の必要性が増大している。この際、ビル外又は住宅外にあるアクセス網と屋内にある構内配線を接続する必要がある。そのための主な配線方法として、（１）壁に穴を開け配管を通し配線する方法、（２）エアコン等のダクトの空隙を利用して配線する方法（例えば、非特許文献１参照。）、そして（３）窓ガラスに光無線通信機を設置し屋内配線と屋外アクセス網を接続する方法（例えば、特許文献１参照。）などがある。
【０００３】
【特許文献１】特開２００４−８０５９５号公報
【非特許文献１】“ＦＬＥＴ′Ｓ．ｃｏｍ”、［ｏｎｌｉｎｅ］、ＮＴＴ東日本  ［２００５年１０月１４日検索］、  インターネット＜ＵＲＬ：http://flets.com/opt/const-single-house.html  ＞
【発明の開示】
【発明が解決しようとする課題】
【０００４】
前記背景技術を用いて屋内配線と屋外アクセス網を接続する際には、（１）の方法では壁に穴を開けるのが困難な場合があり、（２）の方法ではエアコン等のダクトがない場合があり、（３）の方法では光無線通信機の給電が難しい場合や高速化が困難という問題点がある。
【０００５】
本発明は上記の事情に鑑みてなされたもので、光ファイバ心線を収容した平坦形状の光コードを、窓の戸と窓枠の間の空隙に通して光配線することにより、住宅の壁に孔を空けることなく、屋外と屋内をパッシブな光配線で結ぶことが可能となる光配線方法及び光配線部品を提供することを目的とする。
【課題を解決するための手段】
【０００６】
上記目的を達成するために本発明の光配線方法は、光ファイバ心線を収容した平坦形状の光コードを、窓の戸と窓枠の間の空隙に通して光配線することを特徴とする。
【０００７】
また本発明は、前記光配線方法において、平坦形状の光コードとして、光ケーブルの所定の位置から取り出した光ファイバ心線を平坦形状保護部材で被覆した平坦形状の光コードを用いることを特徴とする。
【０００８】
また本発明は、前記光配線方法において、平坦形状の光コードを、窓枠の形状に合わせて窓枠に貼り付けることを特徴とする。
【０００９】
また本発明の光配線部品は、光ファイバ心線及びテンションメンバを保護部材で平坦形状に被覆して平坦形状の光コードとしたことを特徴とするものである。
【００１０】
また本発明は、前記光配線部品において、光ファイバ心線が折り曲げられた形状であることを特徴とするものである。
【００１１】
また本発明は、前記光配線部品において、光ファイバ心線として、ホールアシストファイバを用いることを特徴とするものである。
【００１２】
また本発明の光配線部品は、導波部の近傍に空隙層が設けられたプラスチックスよりなる導波路を、保護部材で平坦形状に被覆して平坦形状の光コードとしたことを特徴とするものである。
【発明の効果】
【００１３】
本発明の光配線方法及び光配線部品は、光ファイバ心線を収容した平坦形状の光コードを、窓の戸と窓枠の間の空隙に通して光配線することにより、住宅の壁に孔を空けることなく、屋外と屋内をパッシブな光配線で結ぶことが可能となる。
【００１４】
また、給電の必要な機器を設置する必要が無くなり、エアコンダクトなどを利用する必要が無くなる。
【００１５】
さらに、光ケーブルの途中で光ファイバ心線を引き出せるケーブル構造であれば適用することが可能であり、任意の位置で光ケーブルを切断する必要が無しに平坦化が出来、余長をほとんど必要としない。
【発明を実施するための最良の形態】
【００１６】
以下図面を参照して本発明の実施の形態を詳細に説明する。
図１は本発明の第１の実施形態に係る光配線部品を示す斜視図である。図１に示すように、光配線部品１１は、光ファイバ心線１２、複数の可曲性の高い心線保護用の部材であるテンションメンバ１３、樹脂等よりなる平板状のカバー基部１４、カバー接着剤兼緩衝材１５、樹脂等よりなるアーチ型のカバー上部１６、窓枠に取り付けるための接着剤１７より構成される。
【００１７】
すなわち、下面に接着剤１７が設けられたカバー基部１４上にはカバー接着剤兼緩衝材１５が設けられ、前記カバー接着剤兼緩衝材１５上には光ファイバ心線１２を挟んで両側にテンションメンバ１３が配置して設けられる。前記カバー基部１４上には光ファイバ心線１２及びテンションメンバ１３を被覆するようにしてカバー上部１６が一体に設けられる。したがって、光ファイバ心線１２及びテンションメンバ１３は保護部材であるカバー基部１４及びカバー上部１６により平坦形状に被覆されて平坦形状の光コードが形成される。
【００１８】
図２は本発明の第１の実施形態に係る光配線方法を説明するための斜視図である。図２に示すように、建築物の壁２１の窓枠２２には窓の戸２３が開閉自在に取り付けられる。前記窓の戸２３はガラス板２４をガラス枠２５に取り付けて構成される。屋外にあるアクセス網から建築物内へ光配線するために、屋外のアクセス網から建築物内へ光ドロップケーブル２６が配線される。前記光ドロップケーブル２６の所定の位置から光ファイバ心線１２を取り出し、図１に示すように、取り出した光ファイバ心線１２をテンションメンバ１３と一緒に保護部材であるカバー基部１４及びカバー上部１６により平坦形状に被覆して光配線部品１１である平坦形状の光コード２７を形成する。前記光コード２７と光ドロップケーブル２６の接続部には光ファイバ心線１２を保護する保護カバー２８が設けられる。前記光コード２７は窓枠２２の凹凸形状に合わせて接着剤１７により貼り付けられる。２９は光ドロップケーブル２６に設けられた光ステップルである。
【００１９】
図３は本発明の第１の実施形態に係る光配線を示す屋内側斜視図であり、図４は本発明の第１の実施形態に係る光配線を示す屋外側斜視図である。図３及び図４中、図２と同一部分は同一符号を付してその説明を省略する。すなわち、屋外にあるアクセス網から建築物内へ光配線する場合、光ドロップケーブル２６に設けた平坦形状の光コード２７を窓枠２２と窓の戸２３の間の空隙に通して光配線することができる。図４において、４１はクリートである。
【００２０】
前記第１の実施形態では光コード２７の平坦構造を利用して窓枠２２と窓の戸２３の隙間に配線することが出来、また、テンションメンバ１３、カバー基部１４、カバー接着剤兼緩衝材１５、及びカバー上部１６が窓の戸２３の開閉時に発生する衝撃力から光ファイバ心線１２を守る構造となっている。尚、構造を分かりやすくするためカバー基部１４とカバー上部１６を分けて表しているが、これらは一体となっていても構わない。カバー上部１６は光ファイバ心線１２が破断しないためにアーチ型をしており光ファイバ心線１２が余裕を持って曲げられるようになっている。また、光ファイバ心線１２は、素線外径８０μｍの光ファイバを応用すれば、現在主流となっている素線外径１２５μｍの光ファイバよりも小さく曲げることが可能である。このように急な曲げを加えても光信号を損失を少なくして伝送できる光ファイバとしてホールアシストファイバ等を利用することができる。
【００２１】
図５は本発明の第２の実施形態に係る光配線部品を示す斜視図である。図５中、図１と同一部分は同一符号を付してその説明を省略する。折り曲げられた形状の光ファイバ心線５１が用いられ、折り曲げられた形状の光ファイバ心線５１及びテンションメンバ１３は保護部材であるカバー基部１４及びカバー上部１６により平坦形状に被覆されて平坦形状の光コード５２が形成される。
【００２２】
図６は本発明の第２の実施形態に係る光配線を示す屋内側斜視図である。図６中、図３と同一部分は同一符号を付してその説明を省略する。すなわち、屋外にあるアクセス網へ建築物内から光配線する場合、インドアケーブル６１に余長巻取り部６２を介して平坦形状の光コード５２を接続し、前記平坦形状の光コード５２を窓枠２２と窓の戸２３の間の空隙に通して光配線することができる。
【００２３】
前記第２の実施形態では、屋内側の光配線と屋外側の光配線を接続するために平坦形状を持つ光コード５２を利用する。光ファイバ心線５１を折り曲げた形状で光コード５２内に収容することで適度な余長を持たせ、光コード５２の変形により光ファイバ心線５１に余計な張力が掛ることを回避している。このような使用法のできる曲げ損失の小さい光ファイバとしてホールアシストファイバ等がある。構造を分りやすくするためカバー基部１４、カバー上部１６を分けて表しているが、これらは一体となっていても構わない。光ファイバ心線５１が破断しないためにカバー上部１６はアーチ型をしており光ファイバ心線５１が余裕を持って曲げられるようになっている。また、光ファイバ心線５１は、素線外径８０μｍの光ファイバを応用すれば、現在主流となっている素線外径１２５μｍの光ファイバよりもより小さく曲げることが可能である。このように急な曲げを加えても光信号を損失を少なくして伝送できる光ファイバとしてホールアシストファイバ等を利用することができる。
【００２４】
尚、前記第２の実施形態では、光コード５２の両端に光コネクタを取り付け、屋内外の光ケーブルと接続することを想定しているが、この場合、光ケーブルにコネクタを付ける必要があり、一般的には図６の余長巻取り部６２のような余長収容部が必要になると考えられる。しかるに余長収容部は各光ケーブルのどこか１ヶ所にあれば済むので、それを利用できる場合、接続部は図２の保護カバー２９のような美観性を損なわないものに変更可能である。
【００２５】
図７は本発明の第３の実施形態に係る光配線部品を示す斜視図である。図７中、図１と同一部分は同一符号を付してその説明を省略する。図７に示すように、平板状のプラスチックス等よりなる導波路７１の中心部には光信号を伝搬する導波部７２が設けられ、前記導波部７２近傍の上部及び下部にはそれぞれ空隙層７３が設けられる。前記導波路７１は保護部材であるカバー基部１４及びカバー上部１６により平坦形状に被覆されて平坦形状の光コード７４が形成される。
前記導波路７１はガラスファイバよりも応力に対する耐破断性に優れた導波路であり、例えばポリマー導波路などがある。
【００２６】
前記第３の実施形態では屋外側の光配線と屋内側の光配線を接続するために平坦形状を持つ光コード７４を利用する。前記導波路７１のような部品を用いることで窓の戸の開閉時に発生する衝撃力への光コード７４の耐性を持たせており、光コード７４は、第２の実施形態の光コード５２よりも簡単な構造である事からより細く薄くすることが可能である。また、空隙層７３を設けることで導波部７２に光信号を閉じ込めることができ、曲げ損失を小さくすることが出来る。前記第３の実施形態においても構造を分りやすくするためカバー基部１４、カバー上部１６を分けて表しているが、これらは一体となっていても構わない。導波路７１とカバー基部１４、カバー上部１６の３つの部品が一体となっていても構わない。前記第３の実施形態における配線方法は前記第２の実施形態における配線方法と同様である。
【００２７】
なお、本発明は、上記実施形態例そのままに限定されるものではなく、実施段階ではその要旨を逸脱しない範囲で構成要素を変形して具体化できる。また、上記実施形態例に開示されている複数の構成要素の適宜な組み合せにより種々の発明を形成できる。例えば、実施形態例に示される全構成要素から幾つかの構成要素を削除してもよい。更に、異なる実施形態例に亘る構成要素を適宜組み合せてもよい。
【図面の簡単な説明】
【００２８】
【図１】本発明の第１の実施形態に係る光配線部品を示す斜視図である。
【図２】本発明の第１の実施形態に係る光配線方法を説明するための斜視図である。
【図３】本発明の第１の実施形態に係る光配線を示す屋内側斜視図である。
【図４】本発明の第１の実施形態に係る光配線を示す屋外側斜視図である。
【図５】本発明の第２の実施形態に係る光配線部品を示す斜視図である。
【図６】本発明の第２の実施形態に係る光配線を示す屋内側斜視図である。
【図７】本発明の第３の実施形態に係る光配線部品を示す斜視図である。
【符号の説明】
【００２９】
１１…光配線部品、１２…光ファイバ心線、１３…テンションメンバ、１４…カバー基部、１５…カバー接着剤兼緩衝材、１６…カバー上部、１７…接着剤、２１…建築物の壁、２２…窓枠、２３…窓の戸、２４…ガラス板、２５…ガラス枠、２６…光ドロップケーブル、２７…光コード。
【図１】
2007147754.tif 000003
【図２】
2007147754.tif 000004
【図３】
2007147754.tif 000005
【図４】
2007147754.tif 000006
【図５】
2007147754.tif 000007
【図６】
2007147754.tif 000008
【図７】
2007147754.tif 000009